【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
拡張現実ディスプレイ内の仮想オブジェクトを整理するための方法であって、
現実世界のオブジェクトのタイプについてのユーザ指定の優先度ランキングを含むユーザ選好を受け取るステップと、
現実世界の場面に重ね合わされた複数の仮想オブジェクトを有する仮想の視野を提示するように構成されたディスプレイを提供するステップと、
前記現実世界の場面内に存在する現実世界のオブジェクトに基づいて、優先度を前記仮想の視野の複数の領域に割り当てるステップであって、
前記複数の領域のうちのそれぞれの領域の優先度が、少なくとも部分的に、前記現実世界の場面の画像からの前記領域において識別された1つまたは複数の現実世界のオブジェクトによって示された光度と、前記ユーザ指定の優先度ランキングを含む前記ユーザ選好とに基づく、ステップと、
前記優先度を付けられた複数の領域に基づいて配置された、前記仮想の視野内の前記複数の仮想オブジェクトを表示するステップと
を含む方法。
【請求項２】
最も低い優先度が割り当てられた前記複数の領域が、前記複数の仮想オブジェクトを表示するために使用される、請求項1に記載の方法。
【請求項３】
前記複数の領域の前記優先度を割り当てるステップの前に、前記現実世界の場面の前記画像をキャプチャするステップ
をさらに含む、請求項1に記載の方法。
【請求項４】
前記複数の領域の各領域の前記優先度が、前記領域において識別された前記1つまたは複数の現実世界のオブジェクトによって示された移動量に少なくとも部分的に基づく、請求項1に記載の方法。
【請求項５】
前記複数の仮想オブジェクトが、ユーザが許可入力を与えるまで、前記優先度を付けられた複数の領域に基づいて配置されない、請求項1に記載の方法。
【請求項６】
前記ディスプレイが、ヘッドマウントディスプレイ(HMD)を含む、請求項1に記載の方法。
【請求項７】
前記優先度を付けられた複数の領域に基づいて配置された、前記仮想の視野内の前記複数の仮想オブジェクトを表示するステップが、前記複数の仮想オブジェクトが以前に表示のために配置されてから少なくともしきい値期間が経過した場合に行われる、請求項1に記載の方法。
【請求項８】
拡張現実ディスプレイ内の仮想オブジェクトを整理するためのシステムであって、
現実世界の場面に重ね合わされた複数の仮想オブジェクトを有する仮想の視野を提示するように構成されたディスプレイと、
現実世界のオブジェクトのタイプについてのユーザ指定の優先度ランキングを含むユーザ選好を受け取ることと、
前記現実世界の場面内に存在する現実世界のオブジェクトに基づいて、優先度を前記仮想の視野の複数の領域に割り当てることであって、
前記複数の領域のうちのそれぞれの領域の優先度が、少なくとも部分的に、前記現実世界の場面の画像からの前記領域において識別された1つまたは複数の現実世界のオブジェクトによって示された光度と、前記ユーザ指定の優先度ランキングを含む前記ユーザ選好とに基づく、割り当てることと、
前記ディスプレイに、前記優先度を付けられた複数の領域に基づいて配置された、前記仮想の視野内の前記複数の仮想オブジェクトを表示させることと
を行うように構成されたプロセッサと
を備えるシステム。
【請求項９】
最も低い優先度が割り当てられた前記複数の領域が、前記複数の仮想オブジェクトを表示するために使用される、請求項8に記載のシステム。
【請求項１０】
前記複数の領域の前記優先度を割り当てる前に、前記現実世界の場面の前記画像をキャプチャするように構成されたカメラをさらに備える、請求項8に記載のシステム。
【請求項１１】
前記複数の領域の各領域の前記優先度が、前記領域において識別された前記1つまたは複数の現実世界のオブジェクトによって示された移動量に少なくとも部分的に基づく、請求項8に記載のシステム。
【請求項１２】
前記仮想オブジェクトが、ユーザが許可入力を与えるまで、前記優先度を付けられた複数の領域に基づいて配置されない、請求項8に記載のシステム。
【請求項１３】
前記ディスプレイが、ヘッドマウントディスプレイ(HMD)を含む、請求項8に記載のシステム。
【請求項１４】
前記優先度を付けられた複数の領域に基づいて配置された、前記仮想の視野内の前記複数の仮想オブジェクトを表示するステップが、前記仮想オブジェクトが以前に表示のために配置されてから少なくともしきい値期間が経過した場合に行われる、請求項8に記載のシステム。
【請求項１５】
拡張現実ディスプレイ内の仮想オブジェクトを整理するための装置であって、
現実世界のオブジェクトのタイプについてのユーザ指定の優先度ランキングを含むユーザ選好を受け取るための手段と、
現実世界の場面に重ね合わされた複数の仮想オブジェクトを有する仮想の視野を提示するための手段と、
前記現実世界の場面内に存在する現実世界のオブジェクトに基づいて、優先度を前記仮想の視野の複数の領域に割り当てるための手段であって、
前記複数の領域のうちのそれぞれの領域の優先度が、少なくとも部分的に、前記現実世界の場面の画像からの前記領域において識別された1つまたは複数の現実世界のオブジェクトによって示された光度と、前記ユーザ指定の優先度ランキングを含む前記ユーザ選好とに基づく、手段と、
前記優先度を付けられた複数の領域に基づいて配置された、前記仮想の視野内の前記複数の仮想オブジェクトを表示するための手段と
を備える装置。
【請求項１６】
最も低い優先度が割り当てられた前記複数の領域が、前記複数の仮想オブジェクトを表示するために使用される、請求項15に記載の装置。
【請求項１７】
前記複数の領域の前記優先度を割り当てる前に、前記現実世界の場面の前記画像をキャプチャするための手段
をさらに備える、請求項15に記載の装置。
【請求項１８】
前記複数の領域の各領域の前記優先度が、前記領域において識別された前記1つまたは複数の現実世界のオブジェクトによって示された移動量に少なくとも部分的に基づく、請求項15に記載の装置。
【請求項１９】
前記仮想オブジェクトが、ユーザが許可入力を与えるまで、前記優先度を付けられた複数の領域に基づいて配置されない、請求項15に記載の装置。
【請求項２０】
表示するための前記手段が、ヘッドマウント式である、請求項15に記載の装置。
【請求項２１】
前記優先度を付けられた複数の領域に基づいて配置された、前記仮想の視野内の前記複数の仮想オブジェクトが、前記仮想オブジェクトが以前に表示のために配置されてから少なくともしきい値期間が経過した場合に、表示するための前記手段によって表示される、請求項15に記載の装置。
【請求項２２】
拡張現実ディスプレイ内の仮想オブジェクトを整理するための、非一時的プロセッサ可読記録媒体上に常駐するコンピュータプログラムであって、プロセッサに
現実世界のオブジェクトのタイプについてのユーザ指定の優先度ランキングを含むユーザ選好を受け取ることと、
現実世界の場面に重ね合わされた複数の仮想オブジェクトを有する仮想の視野を提示させることと、
前記現実世界の場面内に存在する現実世界のオブジェクトに基づいて、優先度を前記仮想の視野の複数の領域に割り当てることであって、
前記複数の領域のうちのそれぞれの領域の優先度が、少なくとも部分的に、前記現実世界の場面の画像からの前記領域において識別された1つまたは複数の現実世界のオブジェクトによって示された光度と、前記ユーザ指定の優先度ランキングを含む前記ユーザ選好とに基づく、割り当てることと、
前記優先度を付けられた複数の領域に基づいて配置された、前記仮想の視野内の前記複数の仮想オブジェクトを提示させることと
を行わせるように構成されたプロセッサ可読命令を含むコンピュータプログラム。
【請求項２３】
最も低い優先度が割り当てられた前記複数の領域が、前記複数の仮想オブジェクトを表示するために使用される、請求項22に記載のコンピュータプログラム。
【請求項２４】
前記プロセッサ可読命令が、前記プロセッサに、
前記複数の領域の前記優先度を割り当てる前に、前記現実世界の場面の前記画像をキャプチャさせるようにさらに構成される、請求項22に記載のコンピュータプログラム。
【請求項２５】
前記複数の領域の各領域の前記優先度が、前記領域において識別された前記1つまたは複数の現実世界のオブジェクトによって示された移動量に少なくとも部分的に基づく、請求項22に記載のコンピュータプログラム。
【請求項２６】
前記プロセッサ可読命令が、前記プロセッサに、ユーザが許可入力を与えるまで、前記優先度を付けられた複数の領域に基づいて前記仮想オブジェクトを配置させないようにさらに構成される、請求項22に記載のコンピュータプログラム。
【請求項２７】
ヘッドマウントディスプレイ(HMD)が前記提示のために使用される、請求項22に記載のコンピュータプログラム。
【請求項２８】
前記プロセッサに、前記優先度を付けられた複数の領域に基づいて配置された、前記仮想の視野内の前記複数の仮想オブジェクトを提示させるように構成された前記プロセッサ可読命令が、前記プロセッサに、
前記仮想オブジェクトが以前に表示のために配置されてから少なくともしきい値期間が経過した場合に、前記優先度を付けられた複数の領域に基づいて配置された前記複数の仮想オブジェクトを提示させる、追加のプロセッサ可読命令をさらに含む、
請求項22に記載のコンピュータプログラム。